(57)【要約】【課題】設置作業性がオーバーシンクの場合と同様でありながら、水じまいをアンダーシンクの場合と同等とする、カウンターユニットの提供。【解決手段】シンク本体１の開口縁１ａにこの開口縁１ａから外方に水平に突き出す金属板よりなる鍔部２を一体に備えさせてなるシンクＳと、このシンクＳの鍔部２を穴縁部３ａに引っ掛けるようにしてこのシンクＳのシンク本体１を上方から受け入れる受け入れ穴３を備えた天板Ｐとを、備えてなる。シンクＳと天板Ｐとが、このシンクＳの鍔部２の突き出し端２ｄと天板Ｐの前記段差３ｂとが隙間無く整合し、且つ、この鍔部２の上面２ａと前記段差３ｂ上の天板Ｐの上面４とを同面上に位置させて、組み合わされるようになっている。【選択図】図３
2013034645.tif 000002
【特許請求の範囲】
【請求項１】
シンク本体の開口縁にこの開口縁から外方に水平に突き出す金属板よりなる鍔部を一体に備えさせてなるシンクと、
このシンクの鍔部を穴縁部に引っ掛けるようにしてこのシンクのシンク本体を上方から受け入れる受け入れ穴を備えた天板とを、少なくとも備えてなるカウンターユニットであって、
前記天板の受け入れ穴の穴縁部は、この天板上に段差を形成させるように薄肉となっており、
前記シンクと天板とが、このシンクの鍔部の突き出し端と天板の前記段差とが隙間無く整合し、且つ、この鍔部の上面と前記段差上の天板の上面とを同面上に位置させて、組み合わされるようになっていることを特徴とするカウンターユニット。
【請求項２】
天板の穴縁部に、止水用充填材の充填用溝が形成されていることを特徴とする請求項１に記載のカウンターユニット。
【請求項３】
鍔部は、その厚さを４ｍｍ〜５ｍｍの範囲とすると共に、シンク本体の開口縁からの突き出し寸法を３０ｍｍ〜４０ｍｍの範囲とすることを特徴とする請求項１又は請求項２に記載のカウンターユニット。
【発明の詳細な説明】
【技術分野】
【０００１】
この発明は、住宅や店舗に設置されて、キッチンカウンターなどのシンク付きのカウンターとなるカウンターユニットの改良に関する。
【背景技術】
【０００２】
シンク付きのカウンターを構成するシンクには、オーバーシンクとアンダーシンクとがある。
【０００３】
オーバーシンクでは、シンクは天板に設けた受け入れ穴に上方から納め入れられる。このオーバーシンクでは、受け入れ穴の穴縁部にシンクの開口に設けたフランジが引っかかる態様となることから、カウンター上を完全にフラット化させることはできない。
【０００４】
一方、アンダーシンクでは、シンクは天板の裏面にこの天板に設けた受け入れ穴にシンクの開口を整合させた状態で取り付けられる。したがって、アンダーシンクでは、カウンター上は完全にフラット化され水じまいは良好となる。
【０００５】
しかるに、アンダーシンクの場合、カウンターの設置にあたっては、一般に、裏面を上にした天板にシンクを天地逆に載せて両者を組み付け合わせた後、これをカウンターを構成する台部上に載せる作業を余儀なくされるところであり、特に前記天板が天然石や擬石から構成された重量物である場合、かかる作業は容易には行い難い。
【発明の概要】
【発明が解決しようとする課題】
【０００６】
この発明が解決しようとする主たる問題点は、設置作業性がオーバーシンクの場合と同様でありながら、水じまいをアンダーシンクの場合と同等とする、カウンターユニットを提供する点にある。
【課題を解決するための手段】
【０００７】
前記課題を達成するために、この発明にあっては、カウンターユニットを、シンク本体の開口縁にこの開口縁から外方に水平に突き出す金属板よりなる鍔部を一体に備えさせてなるシンクと、
このシンクの鍔部を穴縁部に引っ掛けるようにしてこのシンクのシンク本体を上方から受け入れる受け入れ穴を備えた天板とを、少なくとも備えてなるカウンターユニットであって、
前記天板の受け入れ穴の穴縁部は、この天板上に段差を形成させるように薄肉となっており、
前記シンクと天板とが、このシンクの鍔部の突き出し端と天板の前記段差とが隙間無く整合し、且つ、この鍔部の上面と前記段差上の天板の上面とを同面上に位置させて、組み合わされるようになっているものとした。
【発明の効果】
【０００８】
この発明にかかるカウンターユニットにあっては、シンクと天板とは天板の受け入れ穴に上方からシンク本体を納めることで、いわゆるオーバーシンクと同じように組み合わせることができる。具体的には、天板が天然石や擬石から構成された重量物である場合でも、かかる天板にシンクを容易に組み合わせることができる。その一方で、かかる受け入れ穴の穴縁部に引っかかるシンクの鍔部の上面と天板の上面とは隙間無く同一の平面上に位置されることから、シンクの周囲に水をためやすい形状を形成させることはなく、水じまいをいわゆるアンダーシンクと同様のものとすることができる。
【図面の簡単な説明】
【０００９】
【図１】図１は実施の形態にかかるカウンターユニットを構成するシンクの斜視構成図である。
【図２】図２は前記シンクの第一例を示した要部断面図である。
【図３】図３は図２のシンクを天板に取り付けた状態を示した要部断面図である。
【図４】図４は前記シンクの第二例を示した要部断面図である。
【図５】図５は図４のシンクを天板に取り付けた状態を示した要部断面図である。
【図６】図６は前記シンクの第三例を示した要部断面図である。
【図７】図７は図６のシンクを天板に取り付けた状態を示した要部断面図である。
【発明を実施するための形態】
【００１０】
以下、図１〜図７に基づいて、この発明の典型的な実施の形態について、説明する。この実施の形態にかかるカウンターユニットは、住宅や店舗に設置されて、キッチンカウンターなどのシンク付きのカウンターとなるものである。
【００１１】
かかるカウンターユニットは、シンクＳと、天板Ｐとを備えている。天板Ｐの後述の受け入れ穴３を利用してこの天板ＰにシンクＳが取り付けられる。天板Ｐは、図示しないカウンターを構成する台部（キャビネット）上に載置固定される。
【００１２】
シンクＳは、シンク本体１の開口縁１ａにこの開口縁１ａから外方に水平に突き出す金属板よりなる鍔部２を一体に備えさせてなる。
【００１３】
シンク本体１は、金属板（典型的にはステンレス）から構成され、排水口１ｃを備えた底面１ｂと、この底面１ｂを囲繞する側面１ｄとを有し、上面を開放させる。シンク本体１は、典型的には、切断した金属板に曲げや溶接を施すことにより、または、一枚の金属板にプレス加工を施すことにより、形成される。（一般に、前者は手板金シンクと、後者はプレスシンクと称される。）
【００１４】
鍔部２は、シンク本体１を構成する金属板よりも厚さを厚くする金属板（典型的にはステンレス）から構成されている。鍔部２は、シンク本体１の全周に亘って、前記開口縁１ａに一体に備えられている。
【００１５】
図２に示される例では、シンク本体１はその開口縁１ａに外方に突き出すフランジ１ｅを一体に有している。この例では、鍔部２は、このフランジ１ｅの幅の二倍以上の幅を有する。鍔部２は、その上面２ａ及び下面２ｂを、いずれも水平面としている。また、鍔部２は、その下面２ｂをフランジ１ｅの上面に接しさせると共に、その内縁２ｃ（シンク本体１の内方に臨んだ縁）をシンク本体１の開口縁１ａよりもやや内方に位置させ、その突き出し端２ｄをフランジ１ｅの突き出し端１ｆよりも外方に位置させた状態で、かかる内縁２ｃと突き出し端２ｄとの間においてシンク本体１のフランジ１ｅに溶着されている。
【００１６】
また、図４に示される例では、鍔部２は、シンク本体１の内面と鍔部２の内縁２ｃとが同面をなすように、シンク本体１の開口縁１ａ上に位置づけられており、かかる開口縁１ａにおいてシンク本体１に溶着されている。
【００１７】
また、図６に示される例では、鍔部２は、シンク本体１の開口縁１ａと鍔部２の上面とが同面をなすように、シンク本体１の開口縁１ａの側方に位置づけられており、かかる開口縁１ａにおいてシンク本体１に溶着されている。
【００１８】
一方、天板Ｐは、前記シンクＳの鍔部２を穴縁部３ａに引っ掛けるようにしてこのシンクＳのシンク本体１を上方から受け入れる受け入れ穴３を備えてなる。
【００１９】
かかる天板Ｐは、典型的には、天然石、あるいは、天然石に酷似した擬石（石粉を混ぜた合成樹脂の成形品など）から構成される。天板Ｐの受け入れ穴３は、シンク本体１の横断面外郭形状に倣った形状で、かつ、この横断面の大きさよりもやや広い大きさを持つように形成される。
【００２０】
かかる天板Ｐの受け入れ穴３の穴縁部３ａは、この天板Ｐ上に段差３ｂを形成させるように薄肉となっている。そして、この実施の形態にかかるカウンターユニットにあっては、前記シンクＳとかかる天板Ｐとが、このシンクＳの鍔部２の突き出し端２ｄと天板Ｐの前記段差３ｂとが隙間無く整合し、且つ、この鍔部２の上面２ａと前記段差３ｂ上の天板Ｐの上面４とを同面上に位置させて、組み合わされるようになっている。
【００２１】
具体的には、天板Ｐには前記受け入れ穴３を巡る周回状の前記段差３ｂが形成され、この段差３ｂの周回形状と前記シンクＳの鍔部２の形成位置での外郭形状とが一致するようになっている。なお、図３に示される例では、シンクＳのフランジ１ｅの厚さと略等しい厚さの板材５を、鍔部２の下面２ｂであってその突き出し端２ｄとフランジ１ｅの突き出し端２ｄとの間に位置される箇所に貼着させた状態で、シンクＳと天板Ｐとを前記のように組み合わせている。
【００２２】
この実施の形態にかかるカウンターユニットにあっては、シンクＳと天板Ｐとは天板Ｐの受け入れ穴３に上方からシンク本体１を納めることで、いわゆるオーバーシンクＳと同じように組み合わせることができる。具体的には、天板Ｐが天然石や擬石から構成された重量物である場合でも、かかる天板ＰにシンクＳを容易に組み合わせることができる。その一方で、かかる受け入れ穴３の穴縁部３ａに引っかかるシンクＳの鍔部２の上面２ａと天板Ｐの上面４とは隙間無く同一の平面上に位置されることから、（図３、図５、図７）シンクＳの周囲に水をためやすい形状を形成させることはなく、水じまいをいわゆるアンダーシンクＳと同様のものとすることができる。
【００２３】
この実施の形態にあっては、前記天板Ｐの穴縁部３ａに、止水用充填材６の充填用溝３ｃを形成させている。具体的には、前記段差３ｂと受け入れ穴３との間において、穴縁部３ａに受け入れ穴３を周回する前記充填用溝３ｃが形成されており、この充填用溝３ｃに前記止水溶充填材６としてのコーキング材を打ち込んで天板ＰにシンクＳを前記のように組み合わせている。これにより、この実施の形態にあっては、シンクＳの鍔部２と天板Ｐの受け入れ穴３の穴縁部３ａとの間において適切に止水ができるようになっている。
【００２４】
前記シンクＳの鍔部２は、その厚さを４ｍｍ〜５ｍｍの範囲とすると共に、シンク本体１の開口縁１ａからの突き出し寸法を３０ｍｍ〜４０ｍｍの範囲とすることが好適である。シンクＳは内部に水を張った状態ともなるところ、かかるシンクＳは前記鍔部２により支えられることから、鍔部２は適切な強度を備える厚さである必要があり、また、鍔部２が薄すぎると前記溶着などの痕が鍔部２の上面２ａに表れやすくなる。一方、鍔部２が厚すぎると天板Ｐの穴縁部３ａを必要以上に薄肉化させてしまうと共に、シンクＳの高額化を招来する。また、かかる鍔部２の前記突き出し寸法は、鍔部２に適切な強度を持たせる観点、及び、前記充填用溝を形成する観点から、一定の寸法以上である必要がある。以上のことから、前記鍔部２の厚さ及び突き出し寸法は前記の範囲であることが好適であると認められた。
【符号の説明】
【００２５】
１  シンク本体
１ａ  開口縁
２  鍔部
２ａ  上面
２ｄ  突き出し端
３  受け入れ穴
３ａ  穴縁部
３ｂ  段差
４  上面
Ｓ  シンク
Ｐ  天板
【図１】
2013034645.tif 000003
【図２】
2013034645.tif 000004
【図３】
2013034645.tif 000005
【図４】
2013034645.tif 000006
【図５】
2013034645.tif 000007
【図６】
2013034645.tif 000008
【図７】
2013034645.tif 000009